(57)【要約】【課題】ソルダが塗布される接続パッドの形状を変更することで、リフロー工程によって形成されるソルダ接合部の大きさを増やしてソルダ接合の信頼性を向上させることができるソルダ接合構造を提供する。【解決手段】金属バンプを備える半導体素子、前記金属バンプが接続される接続パッドを備え、前記金属バンプ及び前記接続パッドのボンディングによって前記半導体素子が実装される基板、及び前記接続パッド上に形成され、前記金属バンプと前記接続パッドを電気的に連結するソルダ接合部を含み、前記接続パッドはブリッジ型パターンに形成され、ソルダ接合に十分な大きさのソルダ接合部を形成する。【選択図】図４
2007158348.tif 000002
【特許請求の範囲】
【請求項１】
金属バンプを備える半導体素子；
前記金属バンプが接続される接続パッドを備え、前記金属バンプ及び前記接続パッドのボンディングによって前記半導体素子が実装される基板；及び
前記接続パッド上に形成され、前記金属バンプと前記接続パッドを電気的に連結するソルダ接合部；を含み、
前記接続パッドはブリッジ型パターンに形成され、ソルダ接合に十分な大きさのソルダ接合部を形成することを特徴とする、ブリッジ型パターンを利用するソルダ接合構造。
【請求項２】
前記ブリッジ型パターンは、任意の間隔を置いて形成される少なくとも二つのパターン領域を含むことを特徴とする、請求項１に記載のブリッジ型パターンを利用するソルダ接合構造。
【請求項３】
前記ソルダ接合部はリフロー工程によって形成され、前記任意の間隔は、リフロー工程によって、少なくとも二つのパターン領域上のソルダペーストが単一のソルダ接合部に形成されるのに十分な間隔であることを特徴とする、請求項２に記載のブリッジ型パターンを利用するソルダ接合構造。
【請求項４】
前記ソルダ接合部の大きさは、ブリッジ型パターンではない同一線幅のパターンを利用する場合より大きく形成されることを特徴とする、請求項３に記載のブリッジ型パターンを利用するソルダ接合構造。
【請求項５】
前記半導体素子はフリップチップ素子であることを特徴とする、請求項１に記載のブリッジ型パターンを利用するソルダ接合構造。
【請求項６】
前記金属バンプはスタッドバンプであることを特徴とする、請求項５に記載のブリッジ型パターンを利用するソルダ接合構造。
【発明の詳細な説明】
【技術分野】
【０００１】
本発明はフリップチップ（ｆｌｉｐ  ｃｈｉｐ）接続用ソルダ接合構造に係り、特にソルダが塗布される接続パッドの形状をブリッジ型パターン（ｂｒｉｄｇｅ  ｔｙｐｅ  ｐａｔｔｅｒｎ）に変更することで、リフロー（ｒｅｆｌｏｗ）工程によって形成されるソルダ接合部の大きさを増やしてソルダ接合の信頼性を向上させることができるソルダ接合構造に関するものである。
【背景技術】
【０００２】
一般に、半導体チップなどの電子部品をフリップチップ実装しようとする場合、予め半導体チップを実装しようとするプリント基板の接続パッド（回路パターン）上にペースト状態のソルダを塗布した後、リフロー工程によってソルダ接合部（または"ソルダボール（ｓｏｌｄｅｒ  ｂａｌｌ）"という）のような接続媒体を形成し、スタッドバンプ（ｓｔｕｄ  ｂｕｍｐ）などの金属バンプが形成された半導体チップをプリント基板にフリップボンディング方式で接触ボンディングを行うことになる。
【０００３】
近来、半導体部品の高密度化、高集積化の趨勢にしたがい、半導体チップ側のバンプ及びバンプに対応するプリント基板側の接続パッドの大きさがますます小さくて細くなっている。このように、高密度化及び高集積化の結果として、対応する回路パターンの幅が細くなり、接続パッド上に形成されるソルダ接合部の大きさが減少し、その結果、ソルダ接合部とバンプが充分に接触しなくてソルダ接合構造の信頼性が低下する問題をもたらしている。
【０００４】
図１はこのようなソルダ接合構造の一例を示す断面図で、これを参照して、接触不良状態のソルダ接合構造を説明すれば次のようである。
【０００５】
例えば、図１に示すように、ソルダレジスト１２（ＳＲ；ｓｏｌｄｅｒ  ｒｅｓｉｓｔ）と同一の保護層から突出した金属バンプ１４を備えた半導体チップ１０が、やはりソルダレジスト２２間で露出した接続パッド２４を備えたプリント基板２０上にフリップチップボンディング（ｆｌｉｐ  ｃｈｉｐ  ｂｏｎｄｉｎｇ）方式でボンディングされる。この時、プリント基板上の接続パッド２４が細くなることによって、その上に形成されるソルダ接合部の大きさが減少し、これは、場合によって、金属バンプがソルダ接合部と接触することができなくなる結果をもたらし得る。
【０００６】
すなわち、図１の点線で示す大きさがフリップチップボンディングに適正な大きさとする時、それより小さく形成されたソルダ接合部３０を備えたプリント基板２０上に、金属バンプ１４を備えた半導体チップ１０が実装されれば、その接合構造は信頼性を確保しにくい問題をもたらすことになる。
【０００７】
一方、これを解消するために、回路パターン（接続パッド）の幅を大きくすれば、これはソルダ接合構造を有する半導体部品の高密度化及び高集積化に逆行する結果をもたらすことになる。
【０００８】
このような問題点を解消するために、次のような接続パッドの形態が提案された。
【０００９】
図２は従来の他の例によるソルダ接合用回路パターンを示す平面図である。図２は、従来の例によって接続パッド４４が一部分（例えば、中央部分）で幅が拡張した形態を有するように形成されたことを特徴とするプリント基板４０を示す。具体的に、図２に示すように、ソルダレジスト４２間で露出した接続パッド４４が近位部４４ａ及び遠位部４４ｂに区分されれば、近位部の幅（Ｗａ）に比べて遠位部の幅（Ｗｂ）が広く形成されたことを特徴とする。
【００１０】
しかし、これは、接続パッドの幅が遠位部の拡張した幅（Ｗｂ）に形成されたものと類似の結果をもたらすことになり、拡張した幅全体にわたって塗布されたソルダペーストの量は塗布しようとするソルダペーストの量より多くなってソルダの消費量を増加させるなどの問題をもたらし得る。
【００１１】
ついで、図３は従来のさらに他の例によって形成されたソルダ接合用回路パターンの断面図である。図３によるプリント基板５０は、ソルダレジスト５２間で露出した接続パッド５４に加え、ソルダレジスト５２の縁部に形成された屈曲伸張部５６をさらに含み、ペースト状態のソルダ６０が接続パッド５４及び屈曲伸張部５６上に塗布されることを特徴とする。
【００１２】
これは、先の例と同様に、接続パッドの幅（または長さ）が屈曲伸張部を含む大きさに拡張したことと類似の結果をもたらし、これもやはりソルダの消費量を増加させる問題をもたらし得る。また、このような構造を形成するためには、ソルダレジストを形成した後、再び更なるパターン屈曲伸張部を形成する工程を行わなければいけないから、これによる製造工程の複雑化及び作業時間及び作業工数の増加がもたらされる問題もある。
【特許文献１】特開２０００−７７４７１号公報
【特許文献２】大韓民国公開特許第２００１−６０２７１号公報
【発明の開示】
【発明が解決しようとする課題】
【００１３】
したがって、本発明の目的は、比較的小さな幅の接続パッド上に十分な大きさのソルダ接合部を形成することで、信頼できるソルダ接合構造を提供することである。
【００１４】
本発明の他の目的は、ソルダ接合の信頼性を確保するとともにこのような接合構造を利用する半導体製品の高密度及び化高集積化を達成することである。
【課題を解決するための手段】
【００１５】
このような目的を達成するため、本発明は、金属バンプを備える半導体素子と；金属バンプが接続される接続パッドを備え、金属バンプ及び接続パッドのボンディングによって前記半導体素子が実装される基板；及び接続パッド上に形成され、金属バンプと接続パッドを電気的に連結するソルダ接合部；を含み、前記接続パッドはブリッジ型パターンに形成され、ソルダ接合に十分な大きさのソルダ接合部を形成することを特徴とするブリッジ型パターンを利用するソルダ接合構造を提供する。
【００１６】
また、本発明において、ブリッジ型パターンは、任意の間隔を置いて形成される少なくとも二つのパターン領域を含むことを特徴とする。
【００１７】
また、本発明において、ソルダ接合部は、リフロー工程によって形成され、任意の間隔は、リフロー工程によって、少なくとも二つのパターン領域上のソルダペーストが単一のソルダ接合部に形成されるのに十分な間隔であることを特徴とする。
【００１８】
また、本発明において、ソルダ接合部の大きさは、ブリッジ型パターンではない同一線幅のパターンを利用する場合より大きく形成されることを特徴とする。
【００１９】
また、本発明において、半導体素子はフリップチップ素子であり、金属バンプはスタッドバンプであることを特徴とする。
【発明の効果】
【００２０】
本発明によるソルダ接合構造は、所定の間隔を置いて分離された少なくとも二つのパターン領域で構成された接続パッド（ブリッジ型パターン）、このような形状の接続パッド上に形成されるソルダ接合部、及びこれに対応して当接する金属バンプを含んでなる。このようなソルダ接合構造は、より小さな幅の微細パターン上に十分な大きさのソルダ接合部を形成することで、金属バンプを備えた半導体チップと接続パッドを備えたプリント基板との間のソルダ接合を充分に信頼できるようになすことができる。また、接続パッドを形成する従来の工程によって構成でき、別途の追加工程が要求されないので、作業工数及び工程の増加なしにソルダ接合の信頼性を充分に確保することができる。
【発明を実施するための最良の形態】
【００２１】
以下、添付図面に基づいて本発明の好適な実施例を説明する。
【００２２】
図４は本発明の一実施例によるソルダ接合用回路パターンを示す平面図である。図４に示すように、本発明によるプリント基板１２０は、ソルダレジスト１２２間で露出した接続パッド１２４が任意の間隔（Ｓ）を置いて互いに分離した形態の少なくとも二つのパターン領域１２４ａ、１２４ｂに区分されて形成されたことを特徴とする。例えば、二つの分離したパターン領域１２４ａ、１２４ｂ上に塗布されるペースト形態のソルダがリフロー（ｒｅｆｌｏｗ）工程で膨れ上がりながら互いに凝集して単一形状のソルダ接合部を形成することになり、このような現象をいわゆる"ブリッジ現象"という。以下、この明細書でソルダ接合部の形成の時、ブリッジ現象を引き起こして単一ソルダ接合部を形成するように形成された接続パッドの形状を"ブリッジ型パターン"という。
【００２３】
ブリッジ型パターンは、結局、互いに分離した少なくとも二つのパターン領域で形成される接続パッドを示す。この際、パターン領域間の間隔は二つのパターン領域上に塗布されたソルダペーストがリフロー工程で膨れ上がりながら凝集して、単一ソルダ接合部を形成するのに十分な程度の距離を維持することが望ましい。
【００２４】
すなわち、パターン領域間の間隔があまり遠ければ、二つの分離したパターン領域上にそれぞれ独立したソルダ接合部が形成されて、所望形態のソルダ接合部を得ることができなくなり、逆にパターン領域間の間隔があまり狭ければ、本発明で得ようとする形態（大きさ）のソルダ接合部を得ることができないことがあるからである。
【００２５】
このように、ブリッジ型パターン上に形成されるソルダ接合部は、分離したパターン領域とその間に介在した間隔（Ｓ）の幅の和に基づいて形成されるので、間隔を排除したパターン領域の大きさ（単一パターンの場合）に基づいて形成されるソルダ接合部の大きさより大きく形成できる。
【００２６】
したがって、従来に比べ、広幅のパターンを形成しないで、パターンを任意の間隔で分離させることだけで、十分な大きさのソルダ接合部を形成することができ、これにより、これに接続される金属バンプを利用してフリップチップボンディングを行う場合にも、十分な信頼性を有する接続を維持することができる。
【００２７】
図５Ａ及び５Ｂはそれぞれ従来のパターンと本発明のパターンによって形成されるソルダ接合部の大きさを模式的に示す断面図である。図５Ａ及び５Ｂに基づいて、従来と本発明によるそれぞれの接続パッドを比較して説明すれば次のようである。
【００２８】
図５Ａは従来の接続パッド２４が形成されたプリント基板２０上に形成されたソルダ接合部３０を示し、図５Ｂは本発明の一実施例による接続パッド１２４が形成されたプリント基板１２０上に形成されたソルダ接合部１３０を示す。従来及び本発明による接続パッド上に形成されたソルダ接合部３０、１３０の大きさ（例えば、ソルダ接合部の高さｈ１、ｈ２）が同一であるとすると、その基盤となる接続パッド２４、１２４の幅に差があることが分かる。
【００２９】
すなわち、従来の接続パッド２４は単一形状の大きな幅（Ｗ）に形成されたものであるが、これとは異なり、本発明による接続パッド１２４は任意の間隔（Ｓ）を置いて形成された二つの分離したパターン領域１２４ａ、１２４ｂから形成されたものである。結局、より小さな幅（Ｗ１２４ａ、Ｗ１２４ｂ）を有する接続パッド１２４上で、ブリッジ現象によって、より大きな幅（Ｗ）のパッド２４上に形成されたソルダ接合部３０と同一の大きさ（高さ）のソルダ接合部１３０を形成することができるものである。
【００３０】
図６は本発明によるソルダ接合構造を示す断面図である。図６は、金属バンプ１１４がソルダレジスト１１２間で突出した半導体素子１１０と本発明の接続パッド１２４（二つの分離したパターン領域で形成される）が備えられたプリント基板１２０のフリップボンディング状態を示す。図１に示した従来の場合とは異なり、本発明によるソルダ接合構造は、ソルダレジスト１２２間に形成されるソルダ接合部１３０がブリッジ型パターン（図４の１２４ａ及び１２４ｂ参照）で構成される接続パッド１２４上で十分な大きさに形成されるので、対応する金属バンプ１１４との接続が信頼できるようになされることができる。
【００３１】
このように、より小さな幅を有する接続パッド上に十分な大きさのソルダ接合部を形成することで、フリップチップ半導体素子用微細回路パターンを提供することができ、これにより、半導体素子の高密度化、高集積化を容易に達成することができる。
【００３２】
つぎに、図７Ａ〜図７Ｆは本発明の他の実施例によるソルダ接合用接続パッドブリッジ型パターンの変形例を示す平面図で、これら図に基づいて、本発明による多様な接続パッドの形状を提示する。
【００３３】
図７Ａ〜図７Ｆに示すように、本発明による接続パッド１４４、１４６、１４８、１５０、１５２、１５４は、ソルダレジスト１４２間で露出し、それぞれ任意の間隔を置いて形成される多数の分離したパターン領域を含んで形成される。このように、間隔を置いて分離した多数のパターン領域上にペースト状態のソルダが塗布された後、リフロー工程などによってソルダが膨れ上がることにより、所望大きさのソルダ接合部が形成できる。この際、各パターン領域を含む接続パッド１４４、１４６、１４８、１５０、１５２、１５４はみんな従来に比べて小さな幅の微細パターンに形成され、分離した各パターン領域上に塗布されたソルダがブリッジ現象によって凝集結合することにより、単一ソルダ接合部に形成できる。
【００３４】
より具体的にそれぞれの形状を説明すれば、図７Ａに示すプリント基板１４０ａの接続パッド１４４は、基本パターン領域１４４ａ及び任意の間隔（Ｓ）を置いて互いに分離したパターン領域１４４ｂを含んで構成される。
【００３５】
図７Ｂに示すプリント基板１４０ｂの接続パッド１４６は、基本パターン領域１４６ａ及びその一側に任意の間隔（Ｓ）を置いて分離したパターン領域１４６ｂを含んで構成される。
【００３６】
図７Ｃに示すプリント基板１４０ｃの接続パッド１４８は、両側の基本パターン領域１４８ａ、１４８ｃ及びその間に任意の間隔（Ｓ）を置いて形成された独立したパターン領域１４８ｂを含んで構成される。
【００３７】
図７Ｄに示すプリント基板１４０ｄの接続パッド１５０は、基本パターン領域１５０ａ及び中央部の一側に分離したパターン領域１５０ｂを含んで構成される。この際、基本パターン領域１５０ａは分離したパターン領域１５０ｂに対応する大きさだけ一部が湾曲した形状を有する。
【００３８】
図７Ｅに示すプリント基板１４０ｅの接続パッド１５２は、基本パターン領域１５２ａ及びその一側に間隔を置いてさらに形成されたパターン領域１５２ｂを含んで構成される。この際、基本パターン領域１５２ａには湾曲部（図７Ｄ参照）が形成されない。
【００３９】
ついで、図７Ｆに示すプリント基板１４０ｆの接続パッド１５４は、両側の基本パターン領域１５４ａ、１５４ｂ及びその間に間隔を置いて介在した多数の独立パターン領域１５４ｃを含んで構成される。
【００４０】
以上説明したように、本発明によるソルダ接合構造は、任意の間隔を置いて分離した少なくとも二つのパターン領域を含む接続パッド（ブリッジ型パターン）を備えたプリント基板を提供することにより、比較的小さな幅の回路パターンを形成するにもかかわらず、分離した領域の間で起こるブリッジ現象によって十分な大きさのソルダ接合部を形成する点に特徴があり、これにより十分な信頼性を確保したソルダ接合構造を提供することができる。
【００４１】
また、このような接続パッドを形成するために、既存の工程に別途の工程を付け加える必要がないので、費用及び作業時間の大きな増加なしに信頼度の高いフリップチップボンディング工程を行うことができる。
【００４２】
例えば、図３に示す従来の屈曲伸張部（図３の５６参照）を形成するために行われる一連の工程、すなわちソルダレジスト塗布後、その上に屈曲伸張部を形成するためのパターン形成工程などの工程が要求されない。したがって、本発明によるソルダ接合構造は、既存の微細パターンを形成するための工程を適用して半導体製品の高密度化及び高集積化を成すとともに十分な接続信頼性を確保することができる。
【産業上の利用可能性】
【００４３】
本発明は、ソルダが塗布される接続パッドの形状をブリッジ型パターンに変更することで、リフロー工程によって形成されるソルダ接合部の大きさを増やしてソルダ接合の信頼性を向上させるソルダ接合構造に適用可能である。
【図面の簡単な説明】
【００４４】
【図１】従来の一例によるソルダ接合構造を示す断面図である。
【図２】従来の他の例によるソルダ接合用回路パターンを示す平面図である。
【図３】従来のさらに他の例によるソルダ接合用回路パターンを示す断面図である。
【図４】本発明の一実施例によるソルダ接合用回路パターンを示す平面図である。
【図５Ａ】従来のパターンと本発明のパターンによって形成されるソルダ接合部の大きさを模式的に示す断面図である。
【図５Ｂ】従来のパターンと本発明のパターンによって形成されるソルダ接合部の大きさを模式的に示す断面図である。
【図６】本発明によるソルダ接合構造を示す断面図である。
【図７Ａ】本発明の他の実施例によるソルダ接合用回路パターンの変形例を示す平面図である。
【図７Ｂ】本発明の他の実施例によるソルダ接合用回路パターンの変形例を示す平面図である。
【図７Ｃ】本発明の他の実施例によるソルダ接合用回路パターンの変形例を示す平面図である。
【図７Ｄ】本発明の他の実施例によるソルダ接合用回路パターンの変形例を示す平面図である。
【図７Ｅ】本発明の他の実施例によるソルダ接合用回路パターンの変形例を示す平面図である。
【図７Ｆ】本発明の他の実施例によるソルダ接合用回路パターンの変形例を示す平面図である。
【符号の説明】
【００４５】
１１０    半導体チップ
１１２、１２２、１４２    ソルダレジスト
１１４    バンプ
１２０    プリント基板
１２４    接続パッド
１２４ａ、１２４ｂ    パターン領域
１３０    ソルダ接合部
１４０ａ、１４０ｂ、１４０ｃ、１４０ｄ、１４０ｅ、１４０ｆ    プリント基板
１４４、１４６、１４８、１５０、１５２、１５４    接続パッド
ｈ    高さ
Ｓ    間隔
Ｗ    幅
【図１】
2007158348.tif 000003
【図２】
2007158348.tif 000004
【図３】
2007158348.tif 000005
【図４】
2007158348.tif 000006
【図５Ａ】
2007158348.tif 000007
【図５Ｂ】
2007158348.tif 000008
【図６】
2007158348.tif 000009
【図７Ａ】
2007158348.tif 000010
【図７Ｂ】
2007158348.tif 000011
【図７Ｃ】
2007158348.tif 000012
【図７Ｄ】
2007158348.tif 000013
【図７Ｅ】
2007158348.tif 000014
【図７Ｆ】
2007158348.tif 000015